(57)【要約】【課題】幅広い年齢層の子供に対して使用可能で、子供の成長や使用用途に応じて最適な形態に変更することができる子供用椅子を提供する。【解決手段】子供用椅子１１は、軸受入部１２ｂを有するベースフレーム１２と、ベースフレーム１２の前方端部から上下方向に延びる第１逆Ｕ字状部１３ａ、内側に座面が設けられる第２逆Ｕ字状部１３ｂ、および第１および第２逆Ｕ字状部１３ａ，１３ｂの下端を相互に連結して軸受入部１２ｂに回転自在に保持される下端連結軸１３ｃを有する背もたれフレーム１３と、第１逆Ｕ字状部１３ａの固定状態および解除状態のうちのいずれかの状態を実現する第１角度保持機構１４と、第２逆Ｕ字状部１３ｂの固定状態および解除状態のうちのいずれかの状態を実現する第２角度保持機構１５とを備える。【選択図】図１
2007307299.tif 000002
【特許請求の範囲】
【請求項１】
床上に載置されて前後方向に延び、前方端部の左右に一対の軸受入部を有するベース部材と、
Ｕ字型の開口を下に向けて上下方向に延びる第１逆Ｕ字状部、Ｕ字型の開口を下に向けて上下方向に延び、Ｕ字型の内側に座面が設けられる第２逆Ｕ字状部、および前記第１逆Ｕ字状部および前記第２逆Ｕ字状部の下端を相互に連結し、前記ベース部材の一対の軸受入部に回転自在に保持される下端連結軸を有する背もたれ部材と、
前記第１逆Ｕ字状部の後傾角度を固定する固定状態、および前記第１逆Ｕ字状部の固定状態を解除する解除状態のうちのいずれかの状態を実現する第１角度保持機構と、
前記第２逆Ｕ字状部を前記ベース部材に対して複数の角度位置で固定する固定状態、および前記第２逆Ｕ字状部の固定状態を解除する解除状態のうちのいずれかの状態を実現する第２角度保持機構とを備える、子供用椅子。
【請求項２】
前記第１角度保持機構は、
前記ベース部材に固定された係合軸と、
前記第１逆Ｕ字状部に回動可能に連結され、前記係合軸に選択的に係合するロック凹部を有するロック部材とを備える、請求項１に記載の子供用椅子。
【請求項３】
前記第２角度保持機構は、
前記背もたれ部材を背後から支えるように、両端が前記背もたれ部材の左右方向端部に連結されたＵ字形状の突張部材と、
前後方向位置を変更し得るように前記ベース部材上に支持され、前記突張部材に選択的に係合する係合部を有する移動ロック部材とを備える、請求項１または２に記載の子供用椅子。
【請求項４】
前記ベース部材は、その左右方向中央部を前後方向に延び、前記移動ロック部材を案内して前後方向の位置を変更可能とする案内部をさらに有する、請求項１〜３のいずれかに記載の子供用椅子。
【発明の詳細な説明】
【技術分野】
【０００１】
この発明は、背もたれが前後方向にバウンシング可能なバウンシング椅子、背もたれを所定の角度で固定する固定椅子、および背もたれを倒して寝床部材とする簡易ベッドに相互に切り替え可能な子供用椅子に関するものである。
【背景技術】
【０００２】
従来の子供用椅子は、例えば、特開２００５−１０２９９２号公報（特許文献１）に記載されている。同公報に記載されている子供用椅子は、設置面から所定角度で斜めに傾斜して配置される背もたれフレームと、背もたれフレームを弾性的に支持するバウンス部とを備え、背もたれフレームの傾斜角度を変更可能な子供用椅子である。
【０００３】
この子供用椅子は、生後０ヶ月〜９ヶ月程度の自ら立ち上がることや座ることのできない乳幼児を対象としており、バウンシング機能によって乳幼児にあたかも大人に抱き上げられたときの動きや感覚を与えることができると記載されている。
【０００４】
また、背もたれフレームの傾斜角度を変更可能とすることにより、首が据わる前の月齢の低い乳幼児が使用する場合には水平に近い状態に保持し、月齢がより進んで動きが活発になった乳幼児が使用する場合には直立した状態に保持する等、乳幼児の成長に合わせて形態を変更することができると記載されている。
【特許文献１】特開２００５−１０２９９２号公報
【発明の開示】
【発明が解決しようとする課題】
【０００５】
上記公報に記載されている子供用椅子は、乳幼児の成長に合わせて形態を変更することができるものの、その対象は生後０ヶ月〜９ヶ月程度と非常に短い。また、この子供用椅子は常に背もたれフレームがバウンシングするので、食事を与える場合等の大人が乳幼児を世話する場合の使用には適していない。
【０００６】
そこで、この発明の目的は、幅広い年齢層の子供に対して使用可能で、子供の成長や使用用途に応じて最適な形態に変更することができる子供用椅子を提供することである。
【課題を解決するための手段】
【０００７】
この発明に係る子供用椅子は、床上に載置されて前後方向に延び、前方端部の左右に一対の軸受入部を有するベース部材と、Ｕ字型の開口を下に向けて上下方向に延びる第１逆Ｕ字状部、Ｕ字型の開口を下に向けて上下方向に延び、Ｕ字型の内側に座面が設けられる第２逆Ｕ字状部、および第１逆Ｕ字状部および第２逆Ｕ字状部の下端を相互に連結し、ベース部材の一対の軸受入部に回転自在に保持される下端連結軸を有する背もたれ部材と、第１逆Ｕ字状部の後傾角度を固定する固定状態、および第１逆Ｕ字状部の固定状態を解除する解除状態のうちのいずれかの状態を実現する第１角度保持機構と、第２逆Ｕ字状部をベース部材に対して複数の角度位置で固定する固定状態、および第２逆Ｕ字状部の固定状態を解除する解除状態のうちのいずれかの状態を実現する第２角度保持機構とを備える。
【０００８】
一実施形態として、第１角度保持機構は、ベース部材に固定された係合軸と、第１逆Ｕ字状部に回動可能に連結され、係合軸に選択的に係合するロック凹部を有するロック部材とを備える。
【０００９】
他の実施形態として、第２角度保持機構は、背もたれ部材を背後から支えるように、両端が背もたれ部材の左右方向端部に連結されたＵ字形状の突張部材と、前後方向位置を変更し得るようにベース部材上に支持され、突張部材に選択的に係合する係合部を有する移動ロック部材とを備える。
【００１０】
さらに他の実施形態として、ベース部材は、その左右方向中央部を前後方向に延び、移動ロック部材を案内して前後方向の位置を変更可能とする案内部をさらに有する。
【００１１】
上記構成のように、背もたれ部材がベース部材に対して揺動するバウンシング椅子の形態、および背もたれ部材の揺動を規制した固定椅子の形態に変更可能とすることにより、幅広い年齢層の子供が使用可能な子供用椅子を得ることができる。
【００１２】
また、背もたれ部材にリクライニング機能を付与することにより、背もたれ部材を直立させて椅子として使用したり、背もたれ部材を水平に近い角度にしてベッドとして使用したりする等、使用用途に合わせて最適な形態に変更することが可能となる。
【発明を実施するための最良の形態】
【００１３】
図１〜図６を参照して、この発明の一実施形態に係る子供用椅子１１を説明する。なお、図１は子供用椅子１１のフレーム構造を示す図、図２〜図６は子供用椅子１１の各形態を示す斜視図である。
【００１４】
まず、図１を参照して、この発明に係る子供用椅子１１は、ベース部材としてのベースフレーム１２と、背もたれ部材としての背もたれフレーム１３と、第１および第２角度保持機構１４，１５とを備える。
【００１５】
ベースフレーム１２は、床上に載置されて前後方向に延び、左右方向の幅が前方から後方に向かって広がる略二等辺三角形状である。また、前方端部の頂角に対応する位置に第１角度保持機構１４に連結する係合軸１２ａ、左右一対の軸受入部１２ｂ、および足板１２ｃと、底辺に対応する部分にゴム等で形成された滑り止め１２ｄと、左右方向の中央部に前方から後方に延びる案内部としてレール１２ｅとを有する。
【００１６】
このように、ベースフレーム１２の後方の幅を広くすることによって子供用椅子１１の姿勢が安定するので、背もたれフレーム１３がバウンシングしたり、背もたれフレーム１３上で子供が動いたりしても子供用椅子１１が倒れることがない。また、ベースフレーム１２の後方に滑り止め１２ｄを設けることによって子供用椅子１１が床面上を滑るのを防止することができる。
【００１７】
背もたれフレーム１３は、Ｕ字型の開口を下に向けた逆Ｕ字形状でベースフレームの前方端部から上下方向に延びる第１および第２逆Ｕ字状部１３ａ，１３ｂと、第１および第２逆Ｕ字状部１３ａ，１３ｂの下端を相互に連結し、ベースフレーム１２の一対の軸受入部１２ｂに回転自在に支持される下端連結軸１３ｃとを有する。
【００１８】
第１逆Ｕ字状部１３ａは、第２逆Ｕ字状部１３ｂの間に配置されて、上端が第１角度保持機構１４に、下端が下端連結軸１３ｃにそれぞれ連結される。第２逆Ｕ字状部１３ｂは、下端連結軸１３ｃとの連結部分から上方に延びる起立部と、起立部の上端から後方に傾斜してＵ字形状の内側に座面が形成される背もたれ部とを有する。
【００１９】
この子供用椅子１１に使用するベースフレーム１２や背もたれフレーム１３は、子供用椅子１１全体の強度や重量の観点から金属製のパイプ材を組み合わせて形成されている。
【００２０】
第１角度保持機構１４は、ベースフレーム１２に固定された係合軸１２ａと、係合軸１２ａおよび第１逆Ｕ字状部１３ａそれぞれと連結するロック部材１４ａとを有し、子供用椅子１１の下部に配置されている。この第１角度保持機構１４は、第１逆Ｕ字状部１３ａの後傾角度を固定する固定状態、および第１逆Ｕ字状部１３ａの固定状態を解除して第１逆Ｕ字状部１３ａをベースフレーム１２に対して回動自在とする解除状態のうちのいずれかの状態を実現する。
【００２１】
第２角度保持機構１５は、背もたれフレーム１３を背後から支えるように両端が第２逆Ｕ字状部１３ｂの左右方向端部に連結されて上下方向に延びる突張部材１６と、ベースフレーム１２の前後方向に延びるレール１２ｅ上に配置されて突張部材１６を受け入れる移動ロック部材１７とを有する。この第２角度保持機構１５は、第２逆Ｕ字状部１３ｂをベースフレーム１２に対して複数の角度位置で固定する固定状態、および第２逆Ｕ字状部１３ｂの固定状態を解除して第２逆Ｕ字状部１３ｂをベースフレーム１２に対して回動自在とする解除状態のうちのいずれかの状態を実現する。
【００２２】
上記構成の子供用椅子１１は、第１および第２角度保持機構１４，１５によって第１および第２逆Ｕ字状部１３ａ，１３ｂを固定状態または解除状態とすることにより、さまざまな形態に変更することができる。なお、第１および第２角度保持機構１４，１５の詳細については後述する。
【００２３】
図２は、子供用椅子１１を斜め前方から見た斜視図である。図２を参照して、背もたれフレーム１３は、シート部材１９で覆われている。シート部材１９は、第２逆Ｕ字状部１３ｂの内側部分に設けられる座面１９ａと、座面１９ａの外縁部に第２逆Ｕ字状部１３ｂに沿って座面１９ａから上方に突出する外枠部１９ｂと、座面１９ａの中央部に子供の体を拘束する５点式のシートベルト１９ｃと、座面１９ａの下部に第２逆Ｕ字状部１３ｂの起立部を覆うように張り出した舌部１９ｄとを有する。
【００２４】
このシート部材１９はクッション性に富む素材で形成されており、第２逆Ｕ字状部１３ｂに着脱自在となっている。また、外枠部１９ｂおよびシートベルト１９ｃを有することにより、第２逆Ｕ字状部１３ｂがバウンシングしたり、子供が座面１９ａ上で動いたりしても、子供の姿勢を安定させて子供用椅子１１から脱落しないようになっている。さらに、舌部１９ｄを設けて、子供の体がフレーム部分に直接触れないようにしている。
【００２５】
次に、図３は子供用椅子１１をバウンシング椅子として使用する状態を示す図である。図３を参照して、バウンシング椅子としての子供用椅子１１は、第１逆Ｕ字状部１３ａを固定状態、第２逆Ｕ字状部１３ｂを解除状態とする。なお、第２角度保持機構１５の突張部材１６は、移動ロック部材１７との係合を解除して突張部材１６をシート部材１９の裏面に第２逆Ｕ字状部１３ｂに沿うように収容する。
【００２６】
これにより、第２逆Ｕ字状部１３ｂは、弾性によって下端連結軸１３ｃとの連結部分を中心として前後方向（図３の矢印方向）に揺動自在な状態（バウンシング状態）になる。なお、第２逆Ｕ字状部１３ｂの揺動量は、子供の体重を一定と仮定すると、第２逆Ｕ字状部１３ｂの弾性が高い程大きくなる。ただし、弾性の高い材料を使用すると一般には剛性が低下するので、子供用椅子１１の剛性を十分確保できる範囲で揺動量を決定する必要がある。
【００２７】
次に、図４は子供用椅子１１を固定椅子として使用する状態を示す図である。図４を参照して、固定椅子としての子供用椅子１１は、第１逆Ｕ字状部１３ａを解除状態、第２逆Ｕ字状部１３ｂを所定の後傾角度で固定状態とする。
【００２８】
これにより、第２逆Ｕ字状部１３ｂの揺動を規制して固定椅子として使用することができる。なお、第２角度保持機構１５の移動ロック部材１７は、レール１２ｅの前後方向に摺動することができ、第２逆Ｕ字状部１３ｂの後傾角度（ベースフレーム１２と垂直な方向と第２Ｕ字状部１３ｂとのなす角を指す）を変更することができる。これにより、使用用途に応じて適切な角度を選択可能なリクライニング椅子として使用することができる。
【００２９】
リクライニングの具体的な方法としては、移動ロック部材１７をレール１２ｅの前方に移動させると、突張部材１６が垂直に近くなって後傾角度が小さくなる。一方、移動ロック部材１７をレール１２ｅの後方に移動させると、突張部材１６が水平に近くなって後傾角度が大きくなる。
【００３０】
次に、図５は子供用椅子１１を簡易ベッドとして使用する状態を示す図である。図５を参照して、簡易ベッドとしての子供用椅子１１は、第１逆Ｕ字状部１３ａを解除状態、第２逆Ｕ字状部１３ｂを固定状態とする。なお、第２逆Ｕ字状部１３ｂは、移動ロック部材１７を後方に移動させて座面１９ａが水平に近くなるまで後傾させた状態で固定する。これにより、座面１９ａが寝床部材として機能する簡易ベッドとなる。
【００３１】
なお、第２逆Ｕ字状部１３ｂは、床面と平行になるまでリクライニングさせてもよいが、寝心地の観点からは、子供の頭部側が足下より高い位置、すなわち第２逆Ｕ字状部１３ｂの上端側が下端側より僅かに高い位置にある方がよい。
【００３２】
次に、図６は子供用椅子１１の収納状態を示す図である。図６を参照して、収納状態の子供用椅子１１は、第１および第２逆Ｕ字状部１３ａ，１３ｂを共に解除状態とし、第１および第２逆Ｕ字状部１３ａ，１３ｂを最大限後傾させた状態にする。これにより、背もたれフレーム１３がベースフレーム１２上に完全に倒れこんで上下方向の厚み寸法が最も小さくなるので、子供用椅子１１の不使用時に収納スペースが小さくて済む利点がある。
【００３３】
このように、第１および第２逆Ｕ字状部１３ａ，１３ｂの固定状態、および解除状態を選択することにより子供用椅子１１を幅広い年齢層の子供を対象として様々な用途に使用することができる。
【００３４】
図７〜図９を参照して、子供用椅子１１に使用する第１角度保持機構１４の一例を説明する。なお、図７は第１逆Ｕ字状部１３ａの解除状態を示す図、図８および図９は第１逆Ｕ字状部１３ａの固定状態を示す図である。
【００３５】
まず、図７を参照して、第１角度保持機構１４のロック部材１４ａは、第１逆Ｕ字状部１３ａの上端を受け入れる背もたれ部材嵌合穴１４ｂと、ベースフレーム１２の係合軸１２ａを受け入れる２つのロック凹部１４ｃと、ロック凹部１４ｃに連通して係合軸１２ａを前後方向に変位可能とする長穴１４ｄとがそれぞれ厚み方向に貫通している。
【００３６】
なお、第１逆Ｕ字状部１３ａは、常に背もたれ部材嵌合穴１４ｂに嵌合し、背もたれ部材嵌合穴１４ｂの中で回転可能となっている。一方、係合軸１２ａは、２つのロック凹部１４ｃ、および長穴１４ｄのうちのいずれかと選択的に係合する。そして、図７を参照して、第１逆Ｕ字状部１３ａの解除状態においては、係合軸１２ａが長穴１２ｃ内に位置する。
【００３７】
次に、図８および図９を参照して、第１逆Ｕ字状部１３ａの固定状態においては、係合軸１２ａがいずれか一方のロック凹部１４ｃに係合する。ただし、図３を用いて説明したように、第２角度保持機構１５が解除状態となっている場合には、第２逆Ｕ字状部１３ｂのバウンシングは許容される。
【００３８】
なお、ロック凹部１４ｃを前後方向に複数設けた場合、図８に示すように後ろ側のロック凹部１４ｃに係合軸１２ａを係合させると第２逆Ｕ字状部１３ｂの後傾角度が大きくなり、図９に示すように前側のロック凹部１４ｃに係合軸１２ａを係合させると第２逆Ｕ字状部１３ｂの後傾角度が小さくなる。このように、ロック凹部１４ｃを複数設けることにより、子供用椅子１１をバウンシング椅子として使用する場合においても、第２逆Ｕ字状部１３ｂの後傾角度を変更することが可能となる。
【００３９】
また、ロック凹部１４ｃは、後方側が開放されて長穴１４ｄと連通しているので、子供が座面１９ａに座って第２逆Ｕ字状部１３ｂを後方に押すように力を加えても、係合軸１２ａとロック凹部１４ｃとの係合状態が解除されることはない。一方、第２逆Ｕ字状部１３ｂを少し前方に傾けると、係合軸１２ａとロック凹部１４ｃとの係合状態を簡単に解除することができる。これにより、安全で、かつ簡単に背もたれフレーム１３の後傾角度を変更可能な子供用椅子１１を得ることができる。
【００４０】
図１および図１０〜図１２を参照して、子供用椅子１１に使用する第２角度保持機構１５の一例を説明する。なお、図１０は第２逆Ｕ字状部１３ｂの固定状態示す図、図１１は第２逆Ｕ字状部１３ｂの解除状態を示す図、図１２は移動ロック部材１７の内部構造を示す図である。
【００４１】
まず、図１を参照して、突張部材１６は、一端が背もたれフレーム１３の左右方向端部に連結されて上下方向に延びる一対の突張棒１６ａと、一対の突張棒１６ａの他端を相互に連結する連結棒１６ｂとを有する略Ｕ字形状の部材である。
【００４２】
次に、図１２を参照して、移動ロック部材１７は、前後方向位置を変更し得るようにレール１２ｅ上に支持されるケーシング１７ａ（破線で示す）と、ケーシング１７ａの一部に上方に開口部を有し、突張部材１６の連結棒１６ｂに選択的に係合する係合溝１７ｂと、係合溝１７ｂの開口部を開放または閉鎖する開閉部材１７ｃと、開閉部材１７ｃを係合溝１７ｂの開口部を閉鎖する方向（図１２中の左方向）に付勢する弾性部材としてのコイルばね１７ｄと、移動ロック部材１７の前後方向に移動を規制する係合爪１７ｅとを有する。
【００４３】
係合爪１７ｅは、子供用椅子１１の後方側（図中右側）の壁面が垂直に、前方側（図中左側）の壁面が所定の角度を持って形成されている。一方、レール１２ｅに設けられた鋸歯１２ｆは、係合爪１７ｅの垂直な壁面に対面する壁面（子供用椅子１１の前方側、図１２中の左側）が垂直に、他方側の壁面（子供用椅子１１の後方側、図１２の中右側）が所定の角度を持って形成されている。
【００４４】
図１０を参照して、第２逆Ｕ字状部１３ｂの固定状態においては、突張部材１６の連結棒１６ｂと移動ロック部材１７の係合溝１７ｂとが係合する。このとき、開閉部材１７ｃは係合溝１７ｂを閉鎖する方向に付勢されているので、子供用椅子１１の使用時に固定状態が解除されることはない。
【００４５】
一方、図１１を参照して、第２逆Ｕ字状部１３ｂの解除状態においては、開閉部材１７ｃをコイルばね１７ｄに逆らって係合溝１７ｂの開口部を開放する方向に移動させ、連結棒１６ｂと係合溝１７ｂとの係合を解く。また、解除状態から固定状態に移行する場合は、係合溝１７ｂの開口部を開口して連結棒１６ｂを係合溝１７ｂに係合させる。
【００４６】
また、図１２を参照して、子供が座面１９ａに座って第２逆Ｕ字状部１３ｂを後方に押すように力を加えた場合、移動ロック部材１７の係合爪１７ｅとレール１２ｅの鋸歯１２ｆとは互いに垂直な壁面同士が当接するので、移動ロック部材１７が後方に移動して第２逆Ｕ字状部１３ｂが倒れるのを防止する。
【００４７】
一方、第２逆Ｕ字状部１３ｂを前方に倒した場合、係合爪１７ｅと鋸歯１２ｆとは互いに所定の角度を持った壁面同士が当接するので、移動ロック部材１７は係合爪１７ｅを跳ね上げながら前方に移動することができる。また、移動ロック部材１７を後方に移動したい場合は係合爪１７ｅを上方に引き上げた状態で後方にスライドさせる。なお、移動ロック部材１７がスムーズに移動可能となるように、レール１２ｅの床面に対面する面は床面から僅かに浮いた状態とするのが望ましい。
【００４８】
上記の実施形態における子供用椅子１１では、ベースフレーム１２および背もたれフレーム１３を金属製のパイプ材を用いたフレーム構造とした例を示したが、これに限ることなく、任意の構造とすることができる。例えば、樹脂材料等を用いてもよいし、中実の棒材を用いてもよいし、さらには板材を用いて形成してもよい。
【００４９】
また、第２角度保持機構１５の移動ロック部材１７は、ベースフレーム１２の左右の２箇所に設けてもよいが、この実施形態のように１箇所とすることにより、リクライニングの操作が簡単となる。
【００５０】
また、上記の実施形態においては、移動ロック部材１７がレール１２上を前後方向の位置決めをする方法として、係合爪１７ｅと鋸歯１２ｆとが係合する例を示したが、これに限ることなく、任意の方法を採用することができる。例えば、ケーシング１７ａに穴を設け、レール１２ｅ上に複数の穴を設け、ケーシング１７ａおよびレール１２ｅに設けられた穴を貫通するように固定ピンを挿入する等して位置決めをしてもよい。
【００５１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５２】
この発明は、子供の成長や使用用途に応じて最適な形態に変形可能な子供用椅子に有利に利用される。
【図面の簡単な説明】
【００５３】
【図１】この発明の一実施形態に係る子供用椅子のフレーム構造を示す図である。
【図２】図１の子供用椅子を斜め前方から見た斜視図である。
【図３】図１の子供用椅子をバウンシング椅子として使用する状態を示す図である。
【図４】図１の子供用椅子を固定椅子として使用する状態を示す図である。
【図５】図１の子供用椅子を簡易ベッドとして使用する状態を示す図である。
【図６】図１の子供用椅子の収納状態を示す図である。
【図７】第１逆Ｕ字状部の解除状態を示す図である。
【図８】第１逆Ｕ字状部の固定状態を示す図であって、後傾角度が大きい状態示す図である。
【図９】第１逆Ｕ字状部の固定状態を示す図であって、後傾角度が小さい状態を示す図である。
【図１０】第２逆Ｕ字状部の固定状態を示す図である。
【図１１】第２逆Ｕ字状部の解除状態を示す図である。
【図１２】第２角度保持機構の移動ロック部材の内部構造を示す図である。
【符号の説明】
【００５４】
１１  子供用椅子、１２  ベースフレーム、１２ａ  係合軸１２ａ  軸受入部、１２ｃ  足板、１２ｄ  滑り止め、１２ｅ  レール、１２ｆ  鋸歯、１３  背もたれフレーム、１３ａ  第１逆Ｕ字状部、１３ｂ  第２逆Ｕ字状部、１３ｃ  下端連結軸、１４  第１角度保持機構、１４ａ  ロック部材、１４ｂ  背もたれ部材嵌合穴、１４ｃ  ロック凹部、１４ｄ  長穴、１５  第２角度保持機構、１６  突張部材１６ａ  突張棒、１６ｂ  連結棒、１７  移動ロック部材、１７ａ  ケーシング、１７ｂ  係合溝、１７ｃ  開閉部材、１７ｄ  コイルばね、１７ｅ  係合爪、１９  シート部材、１９ａ  座面、１９ｂ  外枠部、１９ｃ  シートベルト、１９ｄ  舌部。
【図１】
2007307299.tif 000003
【図２】
2007307299.tif 000004
【図３】
2007307299.tif 000005
【図４】
2007307299.tif 000006
【図５】
2007307299.tif 000007
【図６】
2007307299.tif 000008
【図７】
2007307299.tif 000009
【図８】
2007307299.tif 000010
【図９】
2007307299.tif 000011
【図１０】
2007307299.tif 000012
【図１１】
2007307299.tif 000013
【図１２】
2007307299.tif 000014